(57)【要約】【課題】エンジンの燃焼室に臨んで配設された主点火プラグ７ａ及び副点火プラグ７ｂのそれぞれに設けられて、該各点火プラグ７ａ，７ｂに通電する点火回路を備え、該各点火回路を流れるイオン電流を基にノッキングの検出を行うエンジンのノッキング検出装置において、そのノッキング検出精度の向上を図る。【解決手段】ノッキング発生時において燃焼室内の圧力振動が略最大となる部分である吸排気方向（Ｙ方向）の吸気側の端部に副点火プラグ７ｂを配設するとともに、該副点火プラグ７ｂに対応する点火回路を流れるイオン電流を基にノッキングの検出を行うようにする。【選択図】図２
2008309062.tif 000002
【特許請求の範囲】
【請求項１】
エンジンの燃焼室に臨んでその天井面に配設された点火プラグに設けられ、該点火プラグに通電する点火回路と、燃焼室内に発生するイオン電流を検出するイオン電流検出手段と、該イオン電流検出手段により検出されたイオン電流に基づいてノッキングを検出するノッキング検出手段とを備えたエンジンのノッキング検出装置であって、
上記点火プラグは、上記天井面に複数配設されていて、そのうちの少なくとも一つは、上記燃焼室におけるノッキング発生時の圧力波の腹若しくはその近傍に対応する部分である最大振動部に臨んで配設される最大振動部点火プラグとされており、
少なくとも上記最大振動部点火プラグに対応する点火回路には、上記イオン電流検出手段が接続されており、
上記ノッキング検出手段は、上記最大振動部点火プラグに対応する点火回路のイオン電流検出手段により検出されたイオン電流に基づいてノッキングを検出するように構成されていることを特徴とするエンジンのノッキング検出装置。
【請求項２】
請求項１記載のエンジンのノッキング検出装置において、
上記最大振動部点火プラグは、上記燃焼室の中心部及び周縁部の少なくとも一方に臨んで配設されていることを特徴とするエンジンのノッキング検出装置。
【請求項３】
請求項１記載のエンジンのノッキング検出装置において、
上記最大振動部点火プラグは、上記燃焼室における吸排気方向の少なくとも一方の側端部に臨んで配設されていることを特徴とするエンジンのノッキング検出装置。
【請求項４】
請求項３記載のエンジンのノッキング検出装置において、
上記最大振動部点火プラグは、上記燃焼室における吸排気方向の吸気側端部に臨んで配設されていることを特徴とするエンジンのノッキング検出装置。
【請求項５】
請求項３又は４記載のエンジンのノッキング検出装置において、
上記各点火回路による上記点火プラグへの導通を制御することで、該点火プラグによる点火を実行する点火制御手段を備え、
上記複数の点火プラグは、上記燃焼室の中心部に臨んで配設される中心部点火プラグを含んでおり、
上記点火制御手段は、上記燃焼室内の混合ガスを燃焼させるための燃焼用点火を上記中心部点火プラグにより実行させる一方で上記最大振動部点火プラグによる燃焼用点火を非実行とする一点点火制御を行うように構成されていることを特徴とするエンジンのノッキング検出装置。
【請求項６】
請求項５記載のエンジンのノッキング検出装置において、
上記点火制御手段は、上記エンジンの運転状態が高回転領域にあるときには上記一点点火制御を実行する一方、上記エンジンの運転状態が低回転領域にあるときには、上記燃焼室内の混合ガスを燃焼させるための燃焼用点火を、上記中心部点火プラグ及び上記最大振動部点火プラグにより順に実行させる２点点火制御を行うように構成されており、
上記ノッキング検出手段は、上記エンジンの運転状態が高回転領域にあるときに、上記最大振動部点火プラグに対応する点火回路のイオン電流検出手段により検出されたイオン電流に基づいてノッキングを検出する一方、上記エンジンの運転状態が低回転領域にあるときに、上記中心部点火プラグに対応する点火回路のイオン電流検出手段により検出されたイオン電流に基づいてノッキングを検出するように構成されていることを特徴とするエンジンのノッキング検出装置。
【発明の詳細な説明】
【技術分野】
【０００１】
本発明は、エンジンの燃焼室内に発生するイオン電流を利用したノッキング検出装置に関する技術分野に属する。
【背景技術】
【０００２】
従来より、この種のノッキング検出装置として、火花点火式エンジンにおいて混合気への点火後に燃焼室に発生するイオン電流を検出し、これに基づいてエンジンのノッキングやその予兆を検出するようにしたものが知られている。
【０００３】
このノッキング検出装置には通常、火花点火用の点火プラグが各燃焼室の中心部に１つずつ配設されており、各点火プラグ毎にこれに通電する点火回路が設けられている。この点火回路には、該点火回路の通電時に電荷が蓄積されるコンデンサと、該点火回路に流れるイオン電流を検出するためのイオン電流検出手段とが接続されている。そして、上記ノッキング検出装置は、着火に伴う火炎核の成長により火炎面に発生したイオンと着火後の燃焼室内の温度上昇に伴い既燃ガスから熱電離したイオンとを媒体として上記点火回路を閉成させて、上記コンデンサに蓄積された電荷を放電させることによって上記点火回路にイオン電流を導通させる。
【０００４】
そして、例えば特許文献１に示すノッキング検出装置では、上記イオン電流検出手段によりイオン電流を検出するとともに、この検出したイオン電流が所定値以上である場合にはノッキングが発生しているものと判定するようになっている。この他にも、イオン電流のピーク発生時期に基づいてノッキングの発生予兆を検出するようにしたもの等が知られている（例えば文献２参照）。
【特許文献１】特開平９−２７３４７０号公報
【特許文献２】特開２００６−４６１４０号公報
【発明の開示】
【発明が解決しようとする課題】
【０００５】
ところで、ノッキングが発生すると、未燃ガスの自然着火に起因する圧力波（衝撃波）が発生して燃焼室内をその壁面との反射を繰り返しながら往復伝播することとなるが、この衝撃波の通過に伴い燃焼室内の各部の温度が変化し、この結果、既燃ガスの熱電離によるイオンが増減するためこれに伴ってイオン電流値も増減することとなる。
【０００６】
このように、ノッキング発生時において生じるイオン電流値の増減が、圧力波の反射（圧力波の振動）に起因して発生するものである以上その波動としての性質上、燃焼室内の場所によって、圧力波の強さ（振幅）が大きくなる部分（波の腹に相当する部分）と小さくなる部分（波の節に相当する部分）とが生じる。このため、同じノッキング発生時であったとしても、燃焼室内の場所によって、イオン電流値の変化量が大きい部分と小さい部分とが生じることとなる。
【０００７】
このため、例えば燃焼室の中心部に圧力波の節が存在し且つ周縁部に腹が存在する所謂一次のノック振動特性を有するエンジンにおいてそのノッキング検出装置として、上述の特許文献１及び特許文献２に示すようなノッキング発生時に生じるイオン電流の検出値に基づいたノッキング検出を行う検出装置を採用した場合に、該検出装置では各燃焼室の中心部に点火プラグが配設されているが故に、イオン電流検出手段により検出されるイオン電流の変化量が小さくなってノッキング検出精度が低下するという問題がある。
【０００８】
本発明は、かかる点に鑑みてなされたものであり、その目的とするところは、燃焼室内に発生するイオン電流に基づいてノッキングを検出するエンジンのノッキング検出装置に対して、その構成に工夫を凝らすことで、ノッキング検出精度の向上を図ろうとすることにある。
【課題を解決するための手段】
【０００９】
上記の目的を達成するために、この発明では、複数の点火プラグのうち少なくとも１つを燃焼室におけるノッキング発生時の圧力振動の振幅が略最大となる最大振動部に配設するとともに、この最大振動部に配設した点火プラグに対応する点火回路を流れるイオン電流を基にノッキングの検出を行うようにした。
【００１０】
具体的には、請求項１の発明では、エンジンの燃焼室に臨んでその天井面に配設された点火プラグに設けられ、該点火プラグに通電する点火回路と、燃焼室内に発生するイオン電流を検出するイオン電流検出手段と、該イオン電流検出手段により検出されたイオン電流に基づいてノッキングを検出するノッキング検出手段とを備えたエンジンのノッキング検出装置を対象とする。
【００１１】
そして、上記点火プラグは、上記天井面に複数配設されていて、そのうちの少なくとも一つは、上記燃焼室におけるノッキング発生時の圧力波の腹若しくはその近傍に対応する部分である最大振動部に臨んで配設される最大振動部点火プラグとされており、少なくとも上記最大振動部点火プラグに対応する点火回路には、上記イオン電流検出手段が接続されており、上記ノッキング検出手段は、上記最大振動部点火プラグに対応する点火回路のイオン電流検出手段により検出されたイオン電流に基づいてノッキングを検出するように構成されているものとする。
【００１２】
上記の構成により、ノッキング検出手段によるノッキング検出を確実に行うことが可能となる。すなわち、ノッキング発生時には、燃焼室内の圧力波の振動に起因して、各点火プラグに対応する点火回路を流れるイオン電流の値も振動することとなるが、上記最大振動部点火プラグは該圧力波の腹若しくはその近傍に対応する（振幅が略最大となる）最大振動部に臨んで配設されており、このため、該最大振動部点火プラグに対応する点火回路を流れるイオン電流の振動振幅は、該最大振動部点火プラグが上記最大振動部以外の部分に配設されている場合に比べて大きくなる。従って、ノッキング発生時のイオン電流値の変化（振動）を上記イオン電流検出手段により確実に検出することができ、この結果、上記ノッキング検出手段によりノッキングを確実に検出することができる。
【００１３】
請求項２の発明では、請求項１の発明において、上記最大振動部点火プラグは上記燃焼室の周縁部及び中心部の少なくとも一方に臨んで配設されているものとする。
【００１４】
このことにより、ノッキング発生時における燃焼室内の圧力波の振動モードが所謂２次の振動モードとなるような特性を有するエンジンにおいて最大振動部点火プラグを上記最大振動部に確実に臨ませて配設することが可能となる。
【００１５】
すなわち、上記２次の振動モードは通常、圧力波が燃焼室の中心部を通って放射状に往復伝播することにより発生するものであり、この振動モードが発生した場合には、燃焼室周壁面近傍（燃焼室の周縁部）及び燃焼室の中心部に、圧力波の腹となる部分（最大振動部）が位置することとなる。従って、最大振動部点火プラグを燃焼室の周縁部及び中心部の少なくとも一方に臨んで配設することで、該最大振動部点火プラグを上記最大振動部に確実に臨ませることが可能となる。よって、請求項１の発明と同様の作用効果をより一層確実に得ることが可能となる。
【００１６】
請求項３の発明では、請求項１の発明において、上記最大振動部点火プラグは、上記燃焼室における吸排気方向の少なくとも一方の側端部に臨んで配設されているものとする。
【００１７】
このことにより、ノッキング発生時における燃焼室内の圧力波の振動モードが所謂１次の振動モードとなるような特性を有するエンジンにおいて、ノッキングを確実に検出することが可能となる。
【００１８】
すなわち、上記１次の振動モードは通常、圧力波が吸排気方向に往復伝播することにより発生するものであり、この振動モードが発生した場合には、燃焼室内における吸排気方向の両端部に、圧力波の腹となる部分（最大振動部）が位置することとなる。従って、本発明の如く、最大振動部点火プラグを吸排気方向の少なくとも一方の側端部に配設することで、該最大振動部点火プラグを確実に上記最大振動部に臨んで配設することができる。よって、請求項１の発明と同様の作用効果をより一層確実に得ることが可能となる。
【００１９】
請求項４の発明では、請求項３の発明において、上記最大振動部点火プラグは、上記燃焼室における吸排気方向の吸気側の端部に臨んで配設されているものとする。
【００２０】
このことにより、ノッキング発生時における燃焼室内の圧力波の振動モードが上記１次の振動モードとなるような特性を有するエンジンにおいて、ノッキングをその発生段階で早期に検出することができる。すなわち、この１次の振動モード（ノッキング）を発生させる引き金となる圧力波は通常、燃焼室内における吸排気方向の吸気側端部にて発生する。従って、最大振動部点火プラグを燃焼室内における吸排気方向の吸気側端部に配設することで、該最大振動部点火プラグを上記最大振動部に確実に臨ませることができるとともに、ノッキングの引き金となる圧力波の発生に起因するイオン電流値の変化をイオン電流検出手段により検出することが可能となる。よって、ノッキング検出手段によりノッキングをその発生段階において早期に検出することができる。
【００２１】
請求項５の発明では、請求項３又は４の発明において、上記各点火回路による上記各点火プラグへの導通を制御することで、該各点火プラグによる点火を実行する点火制御手段を備え、上記複数の点火プラグは、上記燃焼室の中心部に臨んで配設される中心部点火プラグを含んでおり、上記点火制御手段は、上記燃焼室内の混合ガスを燃焼させるための燃焼用点火を上記中心部点火プラグにより実行させる一方で上記最大振動部点火プラグによる燃焼用点火を非実行とする一点点火制御を行うように構成されており、上記ノッキング検出手段は、上記最大振動部点火プラグに対応する点火回路のイオン電流検出手段により検出されたイオン電流に基づいてノッキングを検出するように構成されているものとする。
【００２２】
このことにより、ノッキング発生時において最大振動部点火プラグに対応する点火回路を流れるイオン電流の変化（振動）を、該点火回路に設けられたイオン電流検出手段により確実に検出することが可能となる。
【００２３】
すなわち、点火回路を流れるイオン電流は通常、点火プラグによる火花放電電流よりも極めて小さい。このため、点火プラグの点火放電中は、ノッキングが発生した場合であっても、点火回路を流れるイオン電流の変化をイオン電流検出手段により検出することができず、このため、ノッキング検出手段によるノッキング検出が不可能になるという問題がある。
【００２４】
しかしながら、本発明によれば、最大振動部点火プラグによる燃焼用点火は上記点火制御手段により非実行とされており、このため、シリンダ内における混合ガスの燃焼開始後、燃焼工程中においては、最大振動部点火プラグによる点火は実行されず、従って、該最大振動部点火プラグに対応する点火回路には、燃焼工程中に火花点火電流が流れることもない。よって、ノッキングが発生した場合には、該最大振動部点火プラグに対応する点火回路を流れるイオン電流の変化を、イオン電流検出手段により確実に検出することができ、この結果、ノッキング検出手段によるノッキング検出を確実に行うことができる。
【００２５】
また、本発明によれば、中心部点火プラグを設けるとともに、該中心部点火プラグにより燃焼用点火を実行させるようにしたことで、燃焼室中心部から燃焼反応を開始させることができ、これによって、燃焼室内の混合ガスの燃焼反応を素早く完了させて、耐ノッキング性の向上を図ることが可能となる。
【００２６】
請求項６の発明では、請求項５の発明において、上記点火制御手段は、上記エンジンの運転状態が高回転領域にあるときに上記一点点火制御を実行する一方、上記エンジンの運転状態が低回転領域にあるときに、上記燃焼室内の混合ガスを燃焼させるための燃焼用点火を、上記中心部点火プラグ及び上記最大振動部点火プラグにより順に実行させる２点点火制御を行うように構成されており、上記ノッキング検出手段は、上記エンジンの運転状態が高回転領域にあるときには、上記最大振動部点火プラグに対応する点火回路のイオン電流検出手段により検出されたイオン電流に基づいてノッキングを検出する一方、上記エンジンの運転状態が低回転領域にあるときには、上記中心部点火プラグに対応する点火回路のイオン電流検出手段により検出されたイオン電流に基づいてノッキングを検出するように構成されているものとする。
【００２７】
このことにより、エンジンが高回転領域にあるときには、点火制御手段により上記一点点火制御が実行されて、最大振動部点火プラグによる燃焼用点火が実行されるとともに、上記ノッキング検出手段により、該最大振動部点火プラグに対応する点火回路を流れるイオン電流に基づいてノッキング検出が行われる。よって、請求項４の発明と同様の作用効果を得ることが可能となる。
【００２８】
一方、エンジンが低回転領域にあるときには、上記点火制御手段により上記２点点火制御が実行され、この結果、中心部点火プラグによる燃焼用点火が実行されて燃焼が開始した後に、燃焼室の周縁部に配設された最大振動部点火プラグによる点火が実行される。こうすることによって、中心部点火プラグによる燃焼用点火により燃焼反応が開始した後、燃焼室内の周縁部の未燃ガスが自発着火する前に、最大振動部点火プラグにより該未燃ガスを確実に燃焼させることができる。よって、燃焼室内における燃焼反応を速やかに完了させることができ、この結果、燃焼室内の燃焼反応が比較的不安定となるエンジンの低回転領域においてノッキングの発生を抑制することが可能となる。
【００２９】
また、エンジンが低回転領域にあるときには、上記中心部点火プラグに対応する点火回路のイオン電流検出手段により検出されたイオン電流に基づいてノッキングを検出するようにしたことで、ノッキング検出精度の向上を図ることが可能となる。
【００３０】
すなわち、最大振動部点火プラグによる点火は、上述のように、ノッキングの発生を抑制する観点から燃焼反応の後半期に行われる。このため、最大振動部点火プラグによる点火時期はノッキングの発生時期に近く、従って、たとえノッキングが発生したとしても、該点火による火花放電電流のために、最大振動部点火プラグに対応する点火回路を流れるイオン電流の変化を検出することができないという問題がある。しかし、中心部点火プラグによる点火は、燃焼反応の引き金となるものであって燃焼反応の初期に行われるものであるため、ノッキング発生時期よりも比較的早い段階で実行され、また、エンジンが低回転領域にある場合には、該燃焼反応が完了するまでの時間はエンジンが高回転領域にある場合に比べて長い。このため、中心部点火プラグによる火花点火電流が、ノッキング発生時期（燃焼反応の後半期）まで流れ続けることもない。従って、ノッキングが発生した場合であっても、中心部点火プラグに対応する点火回路を流れるイオン電流の変化をイオン電流検出手段により確実に検出することができる。よって、上記ノッキング検出手段によるノッキングの検出を確実に実行してノッキング検出精度の向上を図ることが可能となる。
【発明の効果】
【００３１】
以上説明したように、本発明のエンジンのノッキング検出装置によると、複数の点火プラグのうち少なくとも１つを燃焼室におけるノッキング発生時の圧力振動の振幅が略最大となる最大振動部に配設するとともに、この最大振動部に配設した点火プラグに対応する点火回路を流れるイオン電流を基にノッキングの検出を行うようにしたことで、ノッキング検出手段によるノッキングの検出精度の向上を図ることが可能となる。
【発明を実施するための最良の形態】
【００３２】
以下、本発明の実施形態を図面に基づいて詳細に説明する。
【００３３】
図１は、本発明の実施形態に係るノッキング検出装置を備えたエンジン１を示し、このエンジン１は、複数のシリンダ２，２，…（図には１つのみ示す）が直列に配置された火花点火式直墳ガソリンエンジンとされている。図示の如く、シリンダ２の上端はシリンダブロック３の上端面に開口し、そこに載置されたシリンダヘッド４の下面により閉塞されている。シリンダ２内にはピストン５が往復動可能に嵌装されていて、このピストン５の上面とシリンダヘッド４の下面との間に燃焼室６が区画される。つまり、シリンダヘッド４の下面が燃焼室６の天井面を構成している。この天井面は、図２にのみ示すが、吸気側斜面６ａ及び排気側斜面６ｂを有する、いわゆるペントルーフ型のものである。そして、吸気側斜面６ａ及び排気側斜面６ｂの間の稜線６ｃが天井面のシリンダボア中心を通ってシリンダ径方向に延びている。一方、ピストン５の下方のクランクケース内には、図示しないがクランク軸が配設され、コネクティングロッドによってピストン５と連結されている。
【００３４】
上記シリンダヘッド４には後述するように各シリンダ２毎に２つの点火プラグ７ａ，７ｂ（主点火プラグ７ａ及び副点火プラグ７ｂ）が配設され、その各先端の電極が燃焼室６に臨む一方、該各点火プラグ７の基端部はそれぞれ点火回路８０，８１に接続されている。
【００３５】
ところで、燃焼室形状（バルブ挟み角等）は、耐ノック性能が所定性能以上となるように火炎伝播距離の短縮や燃焼速度の向上を図るべく決定される。そして、この燃焼室形状は、エンジン１のノック振動特性、つまり各シリンダ２内にノッキング（異常燃焼）が発生した場合における該シリンダ２内に発生する圧力波の振動モードに影響する要素の一つであり、本実施形態においては、この振動モードは、ノッキング発生時にそのシリンダ２内に発生する圧力波の節となる部分が燃焼室６の中心部（シリンダ２の中心部）に位置する一方で腹となる部分が燃焼室６における吸排気方向（Ｙ方向）の両端部に位置する所謂１次の振動モードとなっている（図３参照）。ここで、燃焼室６内に発生した圧力波の伝播方向は吸排気方向（Ｙ方向）におおよそ一致している。尚、吸排気方向（Ｙ方向）とは、シリンダ２の中心軸方向（Ｚ軸方向）から見て、燃焼室６の中心軸Ｚ軸と、吸気ポート９，９の中心同士（若しくは排気ポート１０，１０の中心同士）を結ぶ線分の中点とを通るＹ軸方向を意味する。また、以下の説明では、Ｚ軸を通ってＹ軸に直行するＸ軸方向をボア配列方向と呼ぶものとする。
【００３６】
そして、図２に示すように、燃焼室６におけるその中心軸Ｚよりもやや吸排気方向の排気側寄りの部分には、中心部点火プラグとしての主点火プラグ７ａが配設されており、また、その吸排気方向（Ｙ方向）の吸気側の端部には、最大振動部点火プラグとしての副点火プラグ７ｂが配設されている。より詳細には、副点火プラグ７ｂは、このノッキング発生時における上記圧力波の振幅が略最大となる部分（最大振動部）つまり圧力波の腹の部分に対応して配設されている。副点火プラグ７ｂは、燃焼室６の最大振動部に臨んで配設されているとも言える。
【００３７】
また、図４に示すように、上記各点火回路８０，８１はそれぞれ、パワートランジスタからなるイグナイタ８ａとイグニッションコイル８ｂとを含んでいて、後述のＰＣＭ３０（点火制御手段、ノッキング検出手段）からの制御信号を受けて各シリンダ２毎に所定のタイミング（点火時期）で各点火プラグ７ａ，７ｂに通電するようになっている。この例では各点火回路８０，８１にイオン電流検出回路３４（イオン電流検出手段）が接続されていて、後述するように燃焼室６内の燃焼反応に伴い発生するイオン電流を検出可能になっている。
【００３８】
また、シリンダヘッド４には、燃焼室６に臨んで吸気側斜面６ａ（図２参照）及び排気側斜面６ｂに開口するように、各シリンダ２毎に吸気ポート９及び排気ポート１０がそれぞれ２つずつ形成され、その各ポート開口部にはそれぞれカム軸により開閉されるように吸気及び排気弁１１，１２，…（吸排気バルブ、図１参照）が配設されている。同図には示さないが、カム軸は、吸気側及び排気側に１本ずつ設けられていて、共通のカムチェーンによりクランク軸に駆動連結されており、このクランク軸の回転に同期して吸気側及び排気側のカム軸がそれぞれ回転されることにより、吸気及び排気弁１１，１２，…がそれぞれ所定のタイミングで開閉されるようになっている。
【００３９】
また、この例では上記吸気側のカム軸に、クランク軸の回転に対する位相を所定の角度範囲（例えば４０〜６０°ＣＡ）内で連続的に変更可能な位相可変機構１３（図１参照、Variable Valve Timing 以下、ＶＶＴともいう）が取り付けられており、このＶＶＴ１３によって、吸気弁１１のリフトカーブＩｎが進角側、遅角側に変更されるようになっている。これに伴い排気弁１２のリフトカーブＥｘとのオーバーラップ期間が変化し、これにより、燃焼室６に残留する既燃ガス（以下、内部ＥＧＲ）の量も変化するようになる。
【００４０】
上記シリンダヘッド４の一側（同図の左側）には、下流端が吸気ポート９に連通するように吸気通路１５が配設されている。この吸気通路１５の上流端は外部から導入される新気を濾過するためのエアクリーナ１６に接続されており、そこから下流側に向かって順に、吸気流量を検出するエアフローセンサ１７と、電動モータ１８ａにより駆動されて吸気通路１５を絞るスロットル弁１８とが配設されている。同図には示さないが、吸気通路１５の吸気マニホールドの各分岐通路はそれぞれ二股に分かれていて、その各二股通路がそれぞれ吸気ポート９に接続されている。そして、各二股通路のうち一方には、各シリンダ２毎に燃焼室６内の吸気流動の強さを調整するタンブルスワールコントロール弁（以下、ＴＳＣＶ）１４が設けられている。さらに、シリンダヘッド４には、各シリンダ２毎に燃料を燃焼室６内に直接噴射供給する複数のインジェクタ１９，１９，…（図には１つのみ示す）が設けられている。
【００４１】
一方、シリンダヘッド４の反対側（図１の右側）には、排気ポート１０に連通して各シリンダ２内の燃焼室６から既燃ガス（排気ガス）を排出するように、排気通路２０が配設されている。この排気通路２０には上流側から順に、排気ガス中の酸素濃度を基に混合気の空燃比を検出するための酸素濃度センサ（以下、Ｏ2センサ）２１と、排気ガスを浄化するための触媒コンバータ２２とが配設されている。同図には示さないが、排気通路２０の排気マニホールドの各分岐通路は二股に分かれていて、その各二股通路がそれぞれ排気ポート１０に接続されている。
【００４２】
また、上記Ｏ2センサ２１よりも上流側の排気通路２０には、排気ガスの一部を吸気通路１５に還流するための排気還流通路２４（以下、ＥＧＲ通路）が分岐接続されていて、このＥＧＲ通路２４の下流端が上記スロットル弁１８よりも下流側の吸気通路１５に連通している。このＥＧＲ通路２４の下流端寄りには開度調節可能な電気式の流量制御弁２５（以下、ＥＧＲ弁）が配設されていて、ＥＧＲ通路２４を還流される排気ガス（以下、外部ＥＧＲ）の流量を調節するようになっている。
【００４３】
さらにまた、エンジン１のシリンダブロック３下部のクランクケース内には、クランク軸の回転角（クランク角）を検出する電磁ピックアップ等からなるクランク角センサ２６が設けられている。このクランク角センサ２６は、クランク軸の端部に一体に回転するように取り付けられたロータ２７の回転に伴い、その外周部に設けられた凸部の通過に対応して信号を出力する電磁ピックアップコイル２６からなる。また、シリンダブロック３のウォータジャケット（図示せず）には、冷却水の温度状態を検出する水温センサ２８が臨設されている。
【００４４】
上記エアフローセンサ１７、Ｏ2センサ２１、クランク角センサ２６、水温センサ２８等からの出力信号は、それぞれＰＣＭ（Power-train Control Module）３０に入力されるようになっている。このＰＣＭ３０は、周知の如くＣＰＵ、ＲＯＭ、ＲＡＭ、Ｉ／Ｏインターフェース回路等を備えており、上記各センサ以外に、少なくとも、吸気側カム軸の回転角（回転位置）を検出するカム角センサ３１と、アクセルペダルの操作量を検出するアクセル開度センサ３２と、エンジン回転数を検出するエンジン回転数センサ３３と、からそれぞれ出力される信号を受け入れる。
【００４５】
そして、ＰＣＭ３０は、上記各センサ等から入力した信号に基づいてエンジン１の運転状態を判定し、これに応じてエンジン１の運転制御を行うようになっている。すなわち、ＰＣＭ３０は、ＶＶＴ１３に対し吸気弁１１の作動タイミングを制御するための信号を出力し、スロットル弁１８に対し吸気流量を制御するための信号を出力するとともに、各シリンダ２毎のＴＳＣＶ１４に対し燃焼室６内の吸気流動の強さを制御するための信号を出力し、さらに、各シリンダ２毎のインジェクタ１９，１９，…に対し燃料噴射量及び噴射タイミングを制御するためのパルス信号を出力し、ＥＧＲ弁２５に対しＥＧＲ通路２４によって吸気系に環流する排気ガス（外部ＥＧＲ）の量を制御するための信号を出力する。
【００４６】
また、ＰＣＭ３０は、エンジン１が、エンジン回転数が所定回転数Ｎ１（例えば、２０００ｒｐｍ）以上の高回転領域Ａ（図５参照）にあるとき（高回転時）には、混合ガスを爆発燃焼させるための燃焼用点火を上記主点火プラグ７ａに実行させる一方で上記副点火プラグ７ｂによる燃焼用点火を非実行とする一点点火制御を実行し、且つ、エンジン回転数が所定回転数Ｎ１よりも小さい低回転領域Ｂ（図５参照）にあるときには、混合ガスを爆発燃焼させるための燃焼用点火を、主点火プラグ７ａ及び副点火プラグ７ｂによりこの順に実行させる２点点火制御を実行するように構成されている。
【００４７】
そして更に、ＰＣＭ３０は、上記エンジン１が低回転領域Ｂにあるときには、主点火プラグ７ａに対応する点火回路８０（以下、主点火回路８０と呼ぶ）のイオン電流検出回路３４により検出されたイオン電流に基づいてノッキングを検出する一方、上記エンジン１が高回転領域Ａにあるときには、最大振動部点火プラグである副点火プラグ７ｂに対応する点火回路８１（以下、副点火回路８１と呼ぶ）のイオン電流検出回路３４により検出されたイオン電流に基づいてノッキング検出を行うノッキング検出制御を実行するように構成されている。
【００４８】
次に、図６のフローチャートを参照しながら、ＰＣＭ３０によるノッキング検出制御について説明する。
【００４９】
先ず、最初のステップＳ１では、上記各センサからの各種信号を読み込む。
【００５０】
ステップＳ２では、ステップＳ１で読み込んだ信号に基づいて、エンジン１がノッキングの判定を必要とするノッキング判定領域にあるか否かを判定し、この判定がＹＥＳの場合にはステップＳ３に進み、ＮＯの場合にはこのステップＳ２の判定を再度行う。
【００５１】
具体的には、水温センサ２８及びエンジン回転数センサ３３からの検出信号を基に、冷却水の温度及びエンジン回転数を算出し、エンジン回転数が５００ｒｐｍよりも大きく５５００ｒｐｍ未満で且つ冷却水温度が７０℃以上となる条件が満たされているときにはＹＥＳの判定を行い、この条件が満たされていないときにはＮＯの判定を行う。
【００５２】
ステップＳ３では、ステップＳ１で読み込んだ信号に基づいて、エンジン１が高回転領域Ａにあるか否かを判定し、この判定がＹＥＳの場合にはステップＳ４に進み、ＮＯの場合（エンジン１が低回転領域Ｂにある場合）にはステップＳ９に進む。
【００５３】
ステップＳ４では、燃焼室６内の混合ガスを燃焼させるための燃焼用点火を主点火プラグ７ａにより実行させる一方で副点火プラグ７ｂによる燃焼用点火を非実行とする一点点火制御を行う。
【００５４】
具体的には、膨張行程開始後においてクランク軸のクランク角が設定点火角になった時に、主点火回路８０を通電させて主点火プラグ７ａによる点火を実行させ、これによって燃焼室６内の混合ガスの燃焼を開始させる（図７参照）。
【００５５】
そして、上記膨張行程後の排気行程中に副点火回路８１を通電させて副点火プラグ７ｂによる点火を実行させる。ここで、該副点火プラグ７ｂによる点火は、排気行程中に行われるため該点火による燃焼反応を伴わずエンジン１の出力に寄与しない所謂捨打ち点火であり、この捨打ち点火を行うことにより副点火回路８１のコンデンサ３４ａが充電される。
【００５６】
ステップＳ５では、膨張行程中つまり未燃ガスの燃焼反応中において、副点火回路８１に設けられたイオン電流検出回路３４により検出されたイオン電流を基に、ノッキングが発生しているか否かの判定を行うとともに、ノッキングが発生していると判定した場合にはその強度判定を行う。
【００５７】
具体的には、本実施形態においては、イオン電流検出回路３４により検出されたイオン電流値が所定の下限電流値未満である場合には、ノッキングが発生していないものと判定し、該イオン電流値が下限電流値以上のときには、ノッキングが発生しているものと判定するとともに、イオン電流値の大きさに基づいてその強度レベルを判定する。
【００５８】
ステップＳ６では、ステップＳ５における判定に基づいて次サイクルにおける主点火プラグ７ａの点火時期を設定し、該設定後に終了する。具体的には、ステップＳ５にてノッキングが発生していないと判定した場合には、上記設定点火角を変更しないようにする一方、ノッキングが発生していると判定した場合には、その強度レベルが大きいほど点火時期を遅らせる、つまり上記設定点火角を遅角させて新たな設定点火角とする。
【００５９】
ステップＳ７では、次の燃焼サイクルに進むか否か、つまりエンジン１の運転を続行するか否かの判定を行い、この判定がＹＥＳの場合にはステップＳ２に戻る一方、ＮＯの場合には終了する。
【００６０】
ステップＳ３でＮＯの場合に進むステップＳ８では、主点火プラグ７ａ及び副点火プラグ７ｂにより燃焼用点火をこの順に実行させる２点点火制御を行う。
【００６１】
具体的には、膨張行程開始直後であって上記クランク軸のクランク角が設定点火角になった時に、主点火回路８０を通電させて主点火プラグ７ａによる点火を実行させることで燃焼室６内の混合ガスの燃焼を開始させ、その後、該混合ガスの燃焼反応の後半期に、副点火回路８１を通電させて副点火プラグ７ｂを点火させることで未燃ガスの燃焼を促進させる（図８参照）。
【００６２】
ステップＳ９では、膨張行程中において、主点火回路８０に設けられたイオン電流検出回路３４により検出されたイオン電流を基に、上記ステップＳ５と同様の判定手法により、ノッキングが発生しているか否かの判定、及びノッキングが発生している場合におけるノッキングの強度判定を行った後にステップＳ６に進む。
【００６３】
以上のように構成されたノッキング検出手段としてのＰＣＭ３０を備えたエンジン１が高回転領域Ａにあるとき（ステップＳ３の判定がＹＥＳのとき）には、ＰＣＭ３０により一点点火制御が実行され（ステップＳ４の処理が実行され）、この結果、上記圧縮行程から膨張行程に移行した後のシリンダ２に対して、その燃焼室６に配設された主点火プラグ７ａによる燃焼用点火が実行される一方、副点火プラグ７ｂによる燃焼用点火は非実行とされる。
【００６４】
そして、この主点火プラグ７ａの燃焼用点火により、シリンダ２内における未燃ガスの燃焼反応が進み、シリンダ２内には、該燃焼反応に伴うイオンが発生し、この結果、主点火回路８０及び副点火回路８１にはそれぞれ、イオンを媒体とするイオン電流が流れることとなる。
【００６５】
そして、各点火回路８０，８１に配設されたイオン電流検出回路３４，３４により、該各点火回路８０，８１を流れるイオン電流が検出されてこのイオン電流情報がＰＣＭ３０に送信される。具体的には、イオン電流検出回路３４（図４参照）は、イグニッションコイル８ｂの２次側が接地される点火プラグ７とは反対側の端部に直列に接続された電源コンデンサ３４ａと、検出回路３４ｂとからなっていて、イグナイタ８ａの作動によって点火プラグ７に通電される際（点火）に電源コンデンサ３４ａに蓄えられた電荷と、燃焼室６において発生した上記イオンとで回路が構成されて電流（イオン電流）が流れる。つまり、イオン電流は、電源コンデンサ３４ａに蓄積された電荷が放出されることによって燃焼室６内に発生するようになっている。そして、このイオン電流を検出回路３４ｂが検出するとともにイオン電流情報としてＰＣＭ３０に出力する。
【００６６】
ここで、副点火回路８１のイオン電流検出回路３４により検出されるイオン電流の波形（値）は、図９に実線で示すように主点火プラグ７ａによる点火後のクランク角の進行に伴い変化し、その波形には通常、前半及び後半の２つの山が現れる。前半の山に表されるイオン電流は、混合気が着火した後に、火炎核の成長に伴い拡大する火炎面に存在するイオン（ラジカル）を媒体とするものと考えられ、これは、特に初期燃焼の速度や燃焼室６の流動強さの影響を強く受ける。すなわち、前半の山は、初期燃焼が活発であるほど急峻になり、そのピークが進角する。後半の山に表されるイオン電流は、上記のように燃焼反応そのものによって発生するイオン（ラジカル）の他に、燃焼室６の温度上昇に伴い既燃ガス中に存在するＮＯｘが熱電離して発生するイオンをも媒体とするものと考えられ、そのピークは、燃焼室６の温度が最高になるクランク角位置に現れて、全体として燃焼が活発であるほど高くなり、それが緩慢なほど低くなる。
【００６７】
そして、ノッキングが発生した場合には、該ノッキングの発生に伴う燃焼室６内の圧力振動に起因するイオン電流の振動成分（図９の２点鎖線で示す部分に相当）が、図９に実線で示すイオン電流波形に重畳されてその後半の山におけるピークを過ぎた部分（以下、ノック振動重畳部Ｖと呼ぶ）に現れる。
【００６８】
一方、主点火回路８０のイオン電流検出回路３４により検出されるイオン電流の波形（値）は、図１０に示すように、上記ノック振動重畳部Ｖを含む２つの山の殆どが大電流領域Ｅに包含されて識別不能になっている点で、上記副点火回路８１を流れる電流波形（図９参照）とは異なっている。これは、該主点火回路８０のイオン電流検出回路３４にも、上記２つの山に相当するイオン電流が流れるものの、主点火プラグ７ａの点火の際に主点火回路８０を流れる電流（火花放電電流）に対してイオン電流の値が極めて小さいために、該火花放電電流に対応する大電流領域Ｅによりイオン電流の波形が掻き消されることによるものである。従って、ノッキングが発生した場合であっても、ノック振動重畳部Ｖに現れる上記イオン電流の振動波形は、上記大電流領域Ｅに掻き消されて識別不能となる。
【００６９】
また、上記エンジン１が低回転領域Ｂにあるとき（ステップＳ３の判定がＮＯのとき）には、ＰＣＭ３０により上記二点点火制御が実行され（ステップＳ８の処理が実行され）、この結果、主点火プラグ７ａ及び副点火プラグ７ｂによる燃焼用点火が膨張行程中にこの順に実行される。そして、各点火回路８０，８１に配設されたイオン電流検出回路３４，３４により、膨張行程中に該各点火回路８０，８１を流れるイオン電流が検出されてこのイオン電流情報がＰＣＭ３０に送信される。
【００７０】
ここで、副点火回路８１に配設されたイオン電流検出回路３４により検出されるイオン電流の波形（値）は、図１１に示すように、上記２つの山のうち後半の山におけるそのピークを過ぎた部分つまり上記ノック振動重畳部Ｖが、副点火プラグ７ｂの点火による火花点火電流に相当する大電流領域Ｅにより掻き消されて識別不能になっている。従って、ノッキングが発生した場合であっても、ノック振動重畳部Ｖに現れる上記イオン電流の振動波形は、上記大電流領域Ｅに掻き消されて識別不能となる。
【００７１】
一方、主点火回路８０に配設されたイオン電流検出回路３４により検出されるイオン電流の波形（値）は、図１２に示すように、上記２つの山のうち前半の山におけるそのピークを含む部分（図の２点鎖線で示す部分）が、主点火プラグ７ａの点火による火花点火電流に相当する大電流領域Ｅにより掻き消されて識別不能になっている一方、上記ノック振動重畳部Ｖはこの大電流領域Ｅ外にあって識別可能になっている。
【００７２】
尚、燃焼室６が失火状態にあるときには、燃焼室６においてイオンが発生しないため、イオン電流は検出されない。
【００７３】
そして、上記実施形態では、ＰＣＭ３０は、上記エンジン１が高回転領域Ａにあるとき（ステップＳ３の判定がＹＥＳのとき）には、膨張行程中（燃焼反応中）に上記副点火回路８１のイオン電流検出回路３４により検出されたイオン電流に基づいて、ノッキングが発生しているか否かの判定（ノッキングの検出）を行う（ステップＳ５の処理を実行する）ようになっている。ここで、上記実施形態では、副点火プラグ７ｂは、燃焼室６におけるノッキング発生時の圧力波の振幅が最大となる最大振動部に臨んで配設されており、このため、ノッキング発生時にイオン電流検出回路３４により検出されるイオン電流の振動振幅（振動成分）を、該副点火プラグ７ｂが最大振動部以外の部分に配設されている場合に比べて高めることができる。従って、ステップＳ５にて行うノッキングの判定処理を確実に行うことができる。
【００７４】
また、上記実施形態では、ＰＣＭ３０は、ノッキングが発生していると判定したときには、そのノッキング強度を判定するとともに、その強度に応じて点火時期を遅らせる（ステップＳ６の制御処理を実行する）ようになっている。これにより、ノッキングの強度レベルが高いほど、点火時における燃焼室６内の圧力（圧力比）を低くして燃焼室温度を下げることができ、この結果、その後のサイクルにおけるノッキングの発生を抑制することが可能となる。
【００７５】
また、上記実施形態では、副点火プラグ７ｂは、燃焼室６内の最大振動部であって吸気側の端部に位置する部分に臨んで配設されている。これにより、ＰＣＭ３０によるノッキングの早期検出が可能となる。すなわち、ノッキング発生時に燃焼室６内に生じる圧力振動（上記１次の振動モードを有する圧力振動）は通常、該燃焼室６内における吸気側の端部にて発生する圧力波（衝撃波）を起点とするものであるが、上記副点火プラグ７ｂはこの起点となる圧力波が発生する部分（燃焼室６の吸気側の端部）に配設されており、このため、副点火回路８１のイオン電流検出回路３４でもって、この起点となる圧力波に起因するイオン電流の変化を確実に検出することができる。よって、ノッキングの早期検出が可能となる。
【００７６】
また、上記実施形態では、ＰＣＭ３０は、上記エンジン１が高回転領域Ａにあるとき（ステップＳ３の判定がＹＥＳのとき）には、膨張行程中（燃焼反応中）における、副点火プラグ７ｂによる燃焼用点火を非実行とするようになっており（ステップＳ４）、このため、ノッキングが発生した場合に、イオン電流検出回路３４によるイオン電流の振動成分の検出を確実に行うことができる。
【００７７】
すなわち、副点火回路８１には、膨張行程中において副点火プラグ７ｂの点火による火花点火電流が流れることもなく、従って、ノッキングの発生に伴いイオン電流検出回路３４を流れるイオン電流の振動成分が、例えば図１０に示す場合（主点火回路８０のイオン電流検出回路３４によるイオン電流検出を行った場合）のように、火花点火電流によって掻き消されて識別不能となるのを防止し、これによって該振動成分を確実に検出することが可能となる。よって、イオン電流の変化量を基にした、上記ステップＳ５におけるノッキング検出を確実に行うことができ、ノッキング検出精度の向上を図ることが可能となる。
【００７８】
また、上記実施形態では、ＰＣＭ３０は、上記エンジン１が高回転領域Ａにあるとき（ステップＳ３の判定がＹＥＳのとき）には、排気行程中に副点火プラグ７ｂによる捨打ち点火（ステップＳ４の制御処理）を実行するようになっている。
【００７９】
これにより、膨張行程中の燃焼室６内の燃焼反応に全く影響を及ぼすことなく、つまりエンジン１の機関出力に影響を及ぼすことなく、副点火回路８１を通電させて該副点火回路８１に配設されたコンデンサ３４ａの充電を行うことができる。こうして、コンデンサ３４ａを充電することにより、副点火回路８１は、燃焼室６内にイオンが発生した場合に、コンデンサ３４ａの放電によりイオン電流を導通可能な状態となる。従って、その後の膨張行程中（燃焼反応中）において、イオン電流検出回路３４に確実にイオン電流を導通させることができ、ＰＣＭ３０における該イオン電流を基にしたノッキング検出を確実に実行することが可能となる。
【００８０】
更にまた、上記実施形態では、ＰＣＭ３０は、上記エンジン１が低回転領域Ｂにあるとき（ステップＳ３の判定がＮＯのとき）には、膨張行程中に主点火プラグ７ａ及び副点火プラグ７ｂによる燃焼用点火を順に実行させる２点点火制御（ステップＳ８の制御処理）を実行するようになっている。これにより、エンジン１が高回転領域Ａにある場合に比べて燃焼室６内における燃焼が不安定となる低回転領域Ｂにおいて、主点火プラグ７ａ及び副点火プラグ７ｂの２つの点火プラグにより燃焼用点火を実行することができ、該低回転領域Ｂにおける安定燃焼が可能となる。よって、エンジン１の低回転領域Ｂにおける熱効率の向上を図ることが可能となる。
【００８１】
また、上記実施形態では、ＰＣＭ３０は、上記エンジン１が低回転領域Ｂにあるとき（ステップＳ３の判定がＮＯのとき）には、膨張行程中（燃焼工程中）に主点火回路８０のイオン電流検出回路３４により検出されたイオン電流を基に、ノッキングを検出するようになっている。これにより、上述のように２点点火制御を実行した場合においても、ＰＣＭ３０により確実にノッキングを検出することが可能となる。
【００８２】
すなわち、上述の如く、副点火回路８１を流れるイオン電流の波形は、そのノック振動重畳部Ｖが大電流領域Ｅに包含されている。このため、ノッキングが発生した場合に、副点火回路８１のイオン電流回路では、ノッキングの発生に伴うイオン電流の変化（振動成分）を検出することができないという問題がある。しかしながら、主点火回路８０を流れるイオン電流の波形は、そのノック振動重畳部Ｖが大電流領域Ｅ外にある。このため、ノッキングが発生した場合には、主点火回路８０のイオン電流検出回路３４により、該ノッキングの発生に伴うイオン電流の変化（振動成分）を確実に検出することができる。よって、主点火回路８０のイオン電流検出回路３４からのイオン電流情報を基にしたＰＣＭ３０によるノッキングの検出を確実に行うことができる。
【００８３】
（他の実施形態）
本発明の構成は、上記実施形態に限定されるものではなく、それ以外の種々の構成を包含するものである。すなわち、上記実施形態では、ノッキング発生時における燃焼室６内の圧力波の振動モードが１次の振動モードとなるようなエンジン１を採用しているが、これに限ったものではなく、例えば図１３に示すように、圧力波の腹となる部分が燃焼室６の周縁部及び燃焼室６の中心部に位置する一方で節となる部分が燃焼室６におけるその中心部と周縁部との間に位置する２次の振動モードとなるようなエンジン１であってもよい。ここで、この２次の振動モードを有する圧力波は、燃焼室６の中心部を通ってボア壁面との反射を繰り返しながら放射状に往復伝播するため、燃焼室６の中心部と該燃焼室６の周縁部の全周に亘る範囲（全周縁部）とに圧力波の腹が位置することとなる。すなわち、燃焼室６の中心部と該燃焼室６の全周縁部とが最大振動部となる。従って、このような２次の振動モードを有するエンジン１においては、イオン電流の検出用に使用する点火プラグ７ａ，７ｂを、例えば、燃焼室６内におけるボア配列方向（Ｘ方向、図２参照）の一端部に臨んで配設するようにしてもよいし、燃焼室６の中心部に臨んで配設するようにしてもよい。
【００８４】
また、上記実施形態では、高回転時においてＰＣＭ３０によるノッキング検出の基となるイオン電流検出を行う副点火プラグ７ｂを、燃焼室６における吸排気方向（Ｙ方向）の吸気側端部に配設するようにしているが、これに限ったものではなく、例えば図１４に示すように、吸排気方向（Ｙ方向）の排気側の端部に配設するようにしてもよい。
【００８５】
また、上記実施形態では、エンジン１は、各シリンダ２毎に２つの吸気弁１１と２つの排気弁１２とを有してなる４弁エンジンとされているが、これに限ったものではなく、例えば、図１５に示すように、各シリンダ２毎に１つの吸気弁１１（吸気ポート９）と２つの排気弁１２（排気ポート１０）とを有してなる３弁エンジンであってもよい。
【産業上の利用可能性】
【００８６】
本発明は、エンジンの燃焼室内に発生するイオン電流を利用したノッキング検出装置に有用であり、特にエンジンの高回転時にノッキングを検出する際に有用である。
【図面の簡単な説明】
【００８７】
【図１】本発明の実施形態に係る燃焼状態検出装置を備えたエンジンの概略構造図である。
【図２】燃焼室の天井面を軸方向の燃焼室側から見た概略構造図である。
【図３】ノッキング発生時における燃焼室内の圧力波の振動モードを示す模式図である。
【図４】イオン電流検出回路の構成を示す概略図である。
【図５】高回転領域及び低回転領域を示す説明図である。
【図６】ＰＣＭ（Power-train Control Module）におけるノッキング検出制御を示すフローチャートである。
【図７】エンジンが高回転領域にある場合における主点火回路及び副点火回路の動作状態を示す説明図である。
【図８】エンジンが低回転領域にある場合における主点火回路及び副点火回路の動作状態を示す説明図である。
【図９】エンジンが高回転領域にある場合において、副点火回路に配設されたイオン電流検出回路により検出されるイオン電流の波形を模式的に示す図である。
【図１０】エンジンが高回転領域にある場合において、主点火回路に配設されたイオン電流検出回路により検出されるイオン電流の波形を模式的に示す図である。
【図１１】エンジンが低回転領域にある場合において、副点火回路に配設されたイオン電流検出回路により検出されるイオン電流の波形を模式的に示す図である。
【図１２】エンジンが低回転領域にある場合において、主点火回路に配設されたイオン電流検出回路により検出されるイオン電流の波形を模式的に示す図である。
【図１３】他の実施形態を示す、図３相当図である。
【図１４】他の実施形態を示す、図２相当図である。
【図１５】他の実施形態を示す、図２相当図である。
【符号の説明】
【００８８】
ＰＣＭ３０    （ノッキング検出手段、点火制御手段）
１      エンジン
６      燃焼室
７ａ    主点火プラグ（中心部点火プラグ）
７ｂ    副点火プラグ（最大振動部点火プラグ）
３４    イオン電流検出回路（イオン電流検出手段）
８０    主点火回路（点火回路）
８１    副点火回路（点火回路）
【図１】
2008309062.tif 000003
【図２】
2008309062.tif 000004
【図３】
2008309062.tif 000005
【図４】
2008309062.tif 000006
【図５】
2008309062.tif 000007
【図６】
2008309062.tif 000008
【図７】
2008309062.tif 000009
【図８】
2008309062.tif 000010
【図９】
2008309062.tif 000011
【図１０】
2008309062.tif 000012
【図１１】
2008309062.tif 000013
【図１２】
2008309062.tif 000014
【図１３】
2008309062.tif 000015
【図１４】
2008309062.tif 000016
【図１５】
2008309062.tif 000017